(57)【要約】【課題】筐体が押出成型によって筒状に形成された携帯電子機器であって、筐体内に配置される内部部品の筐体に対する組立／分解を容易に行うことができる携帯電子機器及びその組立方法を提供する。【解決手段】レンズユニット２０は、筐体１２の背面に形成された開口部１８を介して筐体１２内に配置される。そして、レンズユニット２０は、開口部１８を介して筐体１４内に挿入配置される、ＬＣＤの受け板金部材２６の付勢力により、筐体１２の前内壁面１２Ａに図２の如く押圧付勢されて組み付けられる。これにより、レンズユニット２０を筐体１２に容易に組み付けることができ、また、受け板金部材２６を筐体１２の開口部１８から取り外すことによってレンズユニット２０を筐体１２から容易に分解することができる。【選択図】    図１
2009104022.tif 000002
【特許請求の範囲】
【請求項１】
筐体が押出成型によって筒状に形成された携帯電子機器であって、
前記筐体の所定の面には開口部が形成され、該開口部を介して内部部品が筐体内に配置され、該内部部品は、前記開口部を介して筐体内に挿入配置される板金部材の付勢力により、筐体に押圧付勢されて組み付けられることを特徴とする携帯電子機器。
【請求項２】
前記筐体に形成された前記開口部、及び前記板金部材は矩形状に形成され、開口部の対向する２辺の長さａは、板金部材の対向する２辺の長さｂよりも長く、開口部の残りの対向する２辺の長さｃは、板金部材の残りの対向する２辺の長さｄよりも短く設定されていることを特徴とする請求項１に記載の携帯電子機器。
【請求項３】
前記内部部品と前記板金部材との間には、緩衝部材が配置されていることを特徴とする請求項１、又は２に記載の携帯電子機器。
【請求項４】
前記緩衝部材は、前記板金部材に一体に形成されていることを特徴とする請求項３に記載の携帯電子機器。
【請求項５】
前記筐体の押出成型方向の両端部に形成された開放部には、該開放部を閉塞するパネル部材が取り付けられ、該パネル部材と前記板金部材に、双方を係合させる係合部が形成されていることを特徴とする請求項１〜４のうちいずれかに記載の携帯電子機器。
【請求項６】
前記内部部品はレンズユニットであり、前記板金部材は表示部を支持する受け板金部材であることを特徴とする請求項１〜５のうちいずれかに記載の携帯電子機器。
【請求項７】
筐体が押出成型によって筒状に形成されるとともに、該筐体の所定の面に矩形状の開口部が形成された携帯電子機器であって、
前記筐体の前記開口部を介して内部部品を筐体内に挿入し、
前記筐体の押出成型によって形成された開放部にパネルを装着して該開放部を閉塞し、
前記筐体の前記開口部を介して板金部材を筐体に挿入するとともにスライドさせて位置決めすることにより、該板金部材の付勢力により前記内部部品を筐体に押圧付勢して組み付けることを特徴とする携帯電子機器の組立方法。
【請求項８】
筐体が押出成型によって筒状に形成されるとともに、該筐体の所定の面に矩形状の開口部が形成された携帯電子機器であって、
前記筐体の前記開口部を介して内部部品を筐体内に挿入し、
前記筐体の前記開口部を介して板金部材を挿入するとともにスライドさせて位置決めすることにより、該板金部材の付勢力により前記内部部品を筐体に押圧付勢して組み付け、
前記筐体の押出成型によって形成された開放部にパネルを装着して該開放部を閉塞することを特徴とする携帯電子機器の組立方法。
【発明の詳細な説明】
【技術分野】
【０００１】
本発明は携帯電子機器及びその組立方法に係り、特に筐体が押出成型によって筒状に形成された携帯電子機器において、筐体内に配置される内部部品の筐体に対する組立／分解を容易に行うことができる携帯電子機器及びその組立方法に関する。
【背景技術】
【０００２】
近年、押出成型により形成された中空筒状体を、携帯電子機器の筐体として使用する技術が提案されている。この筐体の内壁面は、押出成型の特徴から押し出し方向にフラットな面であるため、押出成型の筐体の内壁面には、内部部品を実装させるための凹凸部が無い。このため、特許文献１には、押出成型により形成した筐体に、部品取付用の孔及び切欠部をプレス打ち抜き加工により形成し、これらの孔及び切欠部を利用して携帯電子機器の内部部品を筐体に取り付けるようにしている。
【０００３】
一方、携帯電子機器ではないが、映写機のデジタル音声再生装置部の筐体を押出成型により形成することで、十分な強度で部品群を支持するようにした筐体が特許文献２に開示されている。
【特許文献１】特開２００６−１８５９６９号公報
【特許文献２】特開平１１−１１２１６０号公報
【発明の開示】
【発明が解決しようとする課題】
【０００４】
しかしながら、携帯電子機器の筐体に内部部品をねじ等の固定部材を利用して取り付ける場合、固定部材が別に必要になるので部品点数が増えるという問題があった。また、接着剤を利用して内部部品を筐体に取り付けると、内部部品の分解を容易に行うことができないという問題があった。
【０００５】
本発明はこのような事情に鑑みてなされたもので、筐体が押出成型によって筒状に形成された携帯電子機器であって、筐体内に配置される内部部品の筐体に対する組立／分解を容易に行うことができる携帯電子機器及びその組立方法を提供することを目的とする。
【課題を解決するための手段】
【０００６】
請求項１に記載の携帯電子機器の発明は、前記目的を達成するために、筐体が押出成型によって筒状に形成された携帯電子機器であって、前記筐体の所定の面には開口部が形成され、該開口部を介して内部部品が筐体内に配置され、該内部部品は、前記開口部を介して筐体内に挿入配置される板金部材の付勢力により、筐体に押圧付勢されて組み付けられることを特徴とする。
【０００７】
請求項１に記載の発明によれば、内部部品は、筐体に形成された開口部を介して筐体内に配置される。そして、その開口部を介して筐体内に配置される板金部材の付勢力（弾性力）により、内部部品は筐体に押圧付勢されて組み付けられる。これにより、内部部品を筐体に容易に組み付けることができ、また、板金部材を筐体から取り外すことによって内部部品を筐体から容易に分解することができる。板金部材は、筐体の開口部を介して筐体内に配置されると、その周縁部の一部が、押出成型品の剛体である筐体の開口部の周縁部の一部に係合する。これにより、内部部品を筐体に押圧付勢する付勢力が板金部材に発生する。なお、押出成型品の筐体には、前記開口部とは別に押出型による開放部が両端部に形成される。この開放部から板金部材を筐体内に挿入することもできるが、小型で薄型の筐体には開放部から挿入するスペースが無く、よって、開口部から板金部材を筐体内に挿入する。
【０００８】
請求項２に記載の発明は、請求項１において、前記筐体に形成された前記開口部、及び前記板金部材は矩形状に形成され、開口部の対向する２辺の長さａは、板金部材の対向する２辺の長さｂよりも長く、開口部の残りの対向する２辺の長さｃは、板金部材の残りの対向する２辺の長さｄよりも短く設定されていることを特徴とする。
【０００９】
請求項２に記載の発明によれば、ａ＞ｂとし、ｃ＞ｄとすることにより、板金部材を開口部から筐体内に挿入することができ、かつ、挿入後、先の挿入方向とは逆方向に板金部材の位置をずらすことにより、板金部材の残りの対向する２辺の縁部が、開口部の残りの対向する２辺の縁部に係合する。これにより、板金部材に付勢力が発生し、板金部材は開口部から脱落しない。
【００１０】
請求項３に記載の発明は、請求項１又は２において、前記内部部品と前記板金部材との間には、緩衝部材が配置されていることを特徴とする。
【００１１】
請求項３に記載の発明によれば、内部部品と板金部材との間に緩衝部材を配置したので、内部部品の耐衝撃性が向上する。
【００１２】
請求項４に記載の発明は、請求項３において、前記緩衝部材は、前記板金部材に一体に形成されていることを特徴とする。
【００１３】
請求項４に記載の発明によれば、緩衝部材を板金部材に一体に形成したので、部品点数を削減することができる。例えば、板金部材に切込みを入れ、この部分を折曲して板ばね部材とすることにより、板金部材に一体化された緩衝部材を構成することができる。
【００１４】
請求項５に記載の発明は、請求項１〜４において、前記筐体の押出成型方向の両端部に形成された開放部には、該開放部を閉塞するパネル部材が取り付けられ、該パネル部材と前記板金部材に、双方を係合させる係合部が形成されていることを特徴とする。
【００１５】
請求項５に記載の発明によれば、筐体の押出方向の両端部に形成された開放部は、パネル部材によって閉塞するが、このパネル部材と板金部材に双方を係合させる係合部を形成することにより、パネル部材を開放部に取り付けるための別体の固定部材が不要になる。よって、部品点数を削減できる。
【００１６】
請求項６に記載の発明は、請求項１〜５において、前記内部部品はレンズユニットであり、前記板金部材は表示部を支持する受け板金部材であることを特徴とする。
【００１７】
請求項６に記載の発明は、携帯電子機器としてデジタルカメラを例示したものである。デジタルカメラは、撮影レンズ、レンズ駆動部、固体撮像素子等を備えたレンズユニットを有しており、このレンズユニットを筐体に組み付けるに際し、筐体の背面に取り付けられるＬＣＤ等の表示部を支持する受け板金部材を利用した。すなわち、受け板金部材の付勢力によってレンズユニットを筐体に押圧付勢して組み付けた。受け板金部材は既存のものなので、部品点数を増やすことなくレンズユニットを筐体に組み付けることができ、かつ、分解も容易に行うことができる。
【００１８】
請求項７に記載の携帯電子機器の組立方法の発明は、前記目的を達成するために、筐体が押出成型によって筒状に形成されるとともに、該筐体の所定の面に矩形状の開口部が形成された携帯電子機器であって、前記筐体の前記開口部を介して内部部品を筐体内に挿入し、前記筐体の押出成型によって形成された開放部にパネル部材を装着して該開放部を閉塞し、前記筐体の前記開口部を介して板金部材を筐体に挿入するとともにスライドさせて位置決めすることにより、該板金部材の付勢力により前記内部部品を筐体に押圧付勢して組み付けることを特徴とする。
【００１９】
請求項７に記載の携帯電子機器の組立方法の発明によれば、まず、筐体の開口部を介して内部部品を筐体内に挿入する。次に、筐体の押出成型によって形成された開放部にパネル部材を装着して開放部を閉塞する。次いで、筐体の開口部を介して板金部材を筐体に挿入するとともにスライドさせて位置決めし、板金部材の付勢力によって内部部品を筐体に押圧付勢して組み付ける。これにより、内部部品を筐体に容易に組み付けることができる。
【００２０】
請求項８に記載の携帯電子機器の組立方法の発明は、前記目的を達成するために、筐体が押出成型によって筒状に形成されるとともに、該筐体の所定の面に矩形状の開口部が形成された携帯電子機器であって、前記筐体の前記開口部を介して内部部品を筐体内に挿入し、前記筐体の前記開口部を介して板金部材を挿入するとともにスライドさせて位置決めすることにより、該板金部材の付勢力により前記内部部品を筐体に押圧付勢して組み付け、前記筐体の押出成型によって形成された開放部にパネル部材を装着して該開放部を閉塞することを特徴とする。
【００２１】
請求項８に記載の携帯電子機器の組立方法の発明によれば、まず、筐体の開口部を介して内部部品を筐体内に挿入する。次に、筐体の開口部を介して板金部材を挿入するとともにスライドさせて位置決めし、板金部材の付勢力によって内部部品を筐体に押圧付勢して組み付ける。次いで、筐体の押出成型によって形成された開放部にパネル部材を装着して開放部を閉塞する。これにより、内部部品を筐体に容易に組み付けることができる。
【発明の効果】
【００２２】
本発明に係る携帯電子機器によれば、筐体に形成された開口部を介して内部部品を筐体内に配置し、その開口部を介して筐体内に配置される板金部材の付勢力によって内部部品を筐体に押圧付勢して組み付けるようにしたので、内部部品を筐体に容易に組み付けることができ、また、板金部材を筐体から取り外すことによって内部部品を筐体から容易に分解することができる。
【００２３】
本発明に係る携帯電子機器の組立方法によれば、筐体の開口部を介して内部部品を筐体内に挿入し、筐体の押出成型によって形成された開放部にパネル部材を装着して開放部を閉塞し、筐体の開口部を介して板金部材を筐体に挿入するとともにスライドさせて位置決めし、板金部材の付勢力によって内部部品を筐体に押圧付勢して組み付けるようにしたので、内部部品を筐体に容易に組み付けることができる。
【００２４】
また、本発明に係る携帯電子機器の組立方法によれば、筐体の開口部を介して内部部品を筐体内に挿入し、筐体の開口部を介して板金部材を挿入するとともにスライドさせて位置決めし、板金部材の付勢力によって内部部品を筐体に押圧付勢して組み付け、筐体の押出成型によって形成された開放部にパネル部材を装着して開放部を閉塞するようにしたので、内部部品を筐体に容易に組み付けることができる。
【発明を実施するための最良の形態】
【００２５】
以下、添付図面に従って本発明に係る携帯電子機器及びその組立方法の好ましい実施の形態について説明する。
【００２６】
図１は、本発明が適用されたデジタルカメラ１０を背面側から見た組立斜視図である。なお、以下の実施の形態では、携帯電子機器としてデジタルカメラ１０を例示するが、これに限定されるものではなく、携帯ゲーム機、携帯電話、ＰＤＡ（Personal Digital Assistant）等の携帯電子機器に適用することができる。
【００２７】
同図に示すデジタルカメラ１０は、いわゆる薄型のコンパクトカメラとして構成されており、そのカメラボディである筐体１２は、図１上で上下方向に抜き型を有する押出成型によって扁平な矩形状の中空箱体に形成されている。よって、筐体１２の上面には抜き型による開放部１３が形成され、下面にも同様に開放部（不図示）が形成されている。上面の開放部１３は樹脂製のパネル部材１４によって閉塞され、下面の開放部も樹脂製のパネル部材１６によって閉塞される。これらのパネル部材１４、１６については後述する。また、筐体１２の背面には、ＬＣＤ等の表示部を嵌め込むための矩形状開口部１８が機械加工により形成されている。
【００２８】
被写体の光学像を撮像素子（不図示）の受光面上に結像させるためのレンズユニット（内部部品）２０は、筐体１２内に実装される。また、このレンズユニット２０は、沈胴式のズームレンズで構成されており、カメラの電源をＯＮにすると、そのレンズ鏡筒が筐体１２の前面開口部２２から前方に繰り出される。そして、カメラの電源をＯＦＦにすると、繰り出されたレンズ鏡胴は筐体１２の内側に沈胴し、筐体１２の前面がフラットになる。更に、レンズユニット２０には、ズームレンズの前玉を保護するためのレンズバリア（不図示）が組み込まれており、レンズ鏡筒の沈胴、繰り出しに応じて自動で開閉される。更にまた、前記撮像素子は、レンズユニット２０の後端部にハウジング２４を介して取り付けられている。なお、この筐体１２内には、レンズユニット２０の他、基板等の電子部品、電池等の多数の内部部品が実装される。
【００２９】
ところで、図１に示したレンズユニット２０は、筐体１２の背面に形成された前記開口部１８を介して筐体１２内に配置される。そして、レンズユニット２０は、開口部１８を介して筐体１２内に挿入配置される、ＬＣＤの受け板金部材２６の付勢力により、筐体１２の前内壁面１２Ａに図２の如く押圧付勢されて組み付けられる。
【００３０】
これにより、レンズユニット２０を筐体１２に容易に組み付けることができ、また、受け板金部材２６を筐体１２の開口部１８から取り外すことによってレンズユニット２０を筐体１２から容易に分解することができる。
【００３１】
受け板金部材２６は、筐体１２の開口部１８を介して筐体１２内に配置されると、その両縦縁部に形成された折曲片２６Ａが、押出成型品の剛体である筐体１２の開口部１８の縦縁部の内壁面１２Ｂに係合する。これにより、レンズユニット２０を筐体１２に押圧付勢する付勢力が受け板金部材２６に発生する。なお、押出成型品の筐体１２には、開口部１８とは別に押出型による開放部１３が図１の如く上面、下面に形成され、この開放部１３から受け板金部材２６を筐体１２内に挿入することもできるが、小型で薄型の筐体１２には開放部１３から受け板金部材２６を挿入するスペースが無く、よって、開口部１８から受け板金部材２６を筐体１２内に挿入している。
【００３２】
また、筐体１２に形成された開口部１８、及び受け板金部材２６は略矩形状に形成されており、開口部１８の対向する両縦辺の長さａは、受け板金部材２６の対向する両縦辺の長さｂよりも長く、開口部１８の対向する両横辺の長さｃは、受け板金部材２６の対向する両横辺の長さｄよりも短く設定されている。
【００３３】
このように各辺の長さを設定することにより、図３（Ａ）の如く、受け板金部材２６全体を開口部１８から筐体１２内に斜め水平方向に挿入することができ、挿入後、図３（Ｂ）の如く、先の挿入方向とは逆方向に受け板金部材２６の位置を水平方向にずらすことにより、図３（Ｃ）の如く、受け板金部材２６の両縦辺に形成された折曲辺２６Ａが、開口部１８の縦縁部の内壁面１２Ｂに係合する。これにより、受け板金部材２６に付勢力が発生し、受け板金部材２６は開口部１８から脱落しない。
【００３４】
更に、図１、図２の如くレンズユニット２０と受け板金部材２６との間には、ゴム製の緩衝部材２８、２８、２８が配置されている。これらの緩衝部材２８は、レンズユニット２０のハウジング２４の背面に所定の間隔をもって貼着されている。このように、レンズユニット２０と受け板金部材２６との間に緩衝部材２８、２８、２８を配置することにより、レンズユニット２０の耐衝撃性が向上する。
【００３５】
また、緩衝部材を受け板金部材２６に一体に形成することもできる。すなわち、図４、図５に示すように、受け板金部材２６に切込み２６Ｂを入れ、この部分を折曲して板ばね部材２７とすることにより、受け板金部材２６に一体化された緩衝部材を構成することができる。この板ばね部材２７の弾性によって衝撃力を緩衝する。
【００３６】
一方、図１、図６、図７に示すように、パネル部材１４、１６と受け板金部材２６には、双方を係合させる係合部３０、３２が形成されている。係合部３０はパネル部材１４、１６に形成された嵌合孔であり、係合部３２は受け板金部材２６に折曲形成された爪である。パネル部材１４、１６を開放部１３に押し込むと、開口部２８に取り付けられた受け板金部材２６の係合部３２、３２に、パネル部材１４、１６の係合部３０、３０の枠部３１が乗り上げていき、パネル部材１４、１６が開放部１３に完全に装着されたときに、係合部３０、３２同士が弾性をもって係合する。これによって、パネル部材１４、１６の開放部１３からの脱落が防止される。したがって、パネル部材１４、１６と受け板金部材２６に双方を係合させる係合部３０、３２を形成することにより、パネル部材１４、１６を開放部１４に取り付けるための別体の固定部材が不要になるので、部品点数を削減できる。
【００３７】
上記の構成により実施の形態のデジタルカメラ１０は、レンズユニット２０を筐体１２に組み付けるに際し、筐体１２の背面に取り付けられるＬＣＤ等の表示部を支持する受け板金部材２６を利用し、受け板金部材２６の付勢力（弾性力）によってレンズユニット２０を筐体１２に押圧付勢して組み付けた。この受け板金部材２６は既存のものなので、部品点数を増やすことなくレンズユニット２０を筐体１２に組み付けることができ、かつ、分解も容易に行うことができる。
【００３８】
次に、デジタルカメラ１０の組立方法について説明する。
【００３９】
第１の組立方法は、まず、筐体１２の開口部１８を介してレンズユニット２０を筐体１２内に挿入する（図１参照）。次に、筐体１２の押出成型によって形成された開放部１３にパネル部材１４、１６を装着して開放部１３を閉塞する。次いで、筐体１２の開口部１８を介して受け板金部材２６を筐体１２に挿入するとともにスライドさせて位置決めし、受け板金部材２６の付勢力によってレンズユニット２０を筐体１２の前内壁面１２Ａに押圧付勢して組み付ける。これにより、内部部品を筐体に容易に組み付けることができる。また、このとき、パネル部材１４、１６とレンズユニット２０の係合部３０、３２同士が係合するので、パネル部材１４、１６の開放部１３からの脱落が防止される。
【００４０】
第２の組立方法は、まず、筐体１２の開口部１８を介してレンズユニット２０を筐体１２内に挿入する。次に、筐体１２の開口部１８を介して受け板金部材２６を挿入するとともにスライドさせて位置決めし、受け板金部材の付勢力によってレンズユニット２０を筐体１２の前内壁面１２Ａに押圧付勢して組み付ける。次いで、筐体１２の押出成型によって形成された開放部１３にパネル部材１４、１６を装着して開放部を閉塞する。これにより、レンズユニット２０を筐体１２に容易に組み付けることができる。また、このとき、パネル部材１４、１６とレンズユニット２０の係合部３０、３２同士が係合するので、パネル部材１４、１６の開放部１３からの脱落が防止される。
【００４１】
なお、実施の形態では内部部品としてレンズユニット２０を例示し、板金部材としてＬＣＤの受け板金部材２６を例示したが、これに限定されるものではない。例えば、携帯電子機器の内部部品であるバッテリ、基板等をばね性のある板金部材によって筐体に組み付けることもできる。
【図面の簡単な説明】
【００４２】
【図１】実施の形態のデジタルカメラを背面側から見た組立斜視図
【図２】図１に示したデジタルカメラの横断面図
【図３】図１に示したデジタルカメラの組立方法を説明するための模式図
【図４】受け板金部材に板ばね部材を一体形成したデジタルカメラの背面図
【図５】図４に示したデジタルカメラの横断面図
【図６】図１に示したデジタルカメラの背面図
【図７】図１に示したデジタルカメラの縦断面図
【符号の説明】
【００４３】
１０…デジタルカメラ、１２…筐体、１３…開放部、１４、１６…パネル部材、１８…開口部、２０…レンズユニット、２２…前面開口部、２４…ハウジング、２６…受け板金部材、２８…緩衝部材、３０、３２…係合部
【図１】
2009104022.tif 000003
【図２】
2009104022.tif 000004
【図３】
2009104022.tif 000005
【図４】
2009104022.tif 000006
【図５】
2009104022.tif 000007
【図６】
2009104022.tif 000008
【図７】
2009104022.tif 000009